(57)【特許請求の範囲】
【請求項１】
円弧状をなすとともに厚み方向に着磁されるプラスチック磁石からなるステータ磁石を、ステータコアに開けられたロータ通孔の内周面に射出成形して複数取付けたステ−タにおいて、
前記ステ−タコアの内周面に、前記ステータ磁石の円弧に沿う方向に位置した磁石端部の前記ロータ通孔に臨んだ表面から遠ざかるとともに、この表面に対して反対側で前記ロータ通孔に臨まない前記磁石端部の裏面より前記ステ−タコアの外周面に寄った底面を有する凹みを、前記ステ−タコアの内周面の周方向に隣接したステータ磁石の磁石端部にわたって設け、この凹みに前記磁石端部の端面を臨ませるとともに、前記凹みの内面を前記ステータ磁石と一体に射出成形された薄膜状凹みカバーで覆ったことを特徴とするステ−タ。
【請求項２】
前記ステータ磁石で覆われる前記ステ−タコアの内周面に係止溝を設け、この溝に、前記ステータ磁石の前記ロータ通孔に臨んだ表面に対して反対側で前記ロータ通孔に臨まない前記ステータ磁石の裏面に一体に突設した係止突起を係合させたことを特徴とする請求項１に記載のステ−タ。
【請求項３】
請求項１又は２項に記載のステ−タと、このステ−タが有したステータコアのロータ通孔に配置されたロータとを具備したことを特徴とするモータ。
【請求項４】
ロータ軸を有するロータ、前記ロータ軸を支持する軸受、前記ロータを囲んで設けられた請求項１又は２に記載のステ−タ、前記ロータ軸に固定された整流子、及びこの整流子に押付けられるブラシ付きブラシ装置を備えるモータと、
前記ロータ軸に連結されたファン及びこのファンを覆うファンカバーを備える送風部と、
を具備したことを特徴とする電動送風機。
【発明の詳細な説明】
【０００１】
【発明の属する技術分野】
本発明は、ステータコアの内周面に永久磁石製のステータ磁石が複数取付けられたステータに関するとともに、このステータの内側にロータを配置した内転型のモータに関し、更には、このモータに送風部を連結して構成され電気掃除機の真空吸引源等として使用される電動送風機に関する。
【０００２】
【従来の技術】
例えばバッテリー駆動式電気掃除機用の電動送風機が備える電動機部には、ブラシ装置付きＤＣモータが使用されている。このモータが備えるステータは、ステータコアの内周面に、円弧状をなすとともに厚み方向に着磁された一対のステータ磁石を取付けて形成されている。
【０００３】
これらのステータ磁石には、予め円弧状のセグメントとして形成された永久磁石を接着剤によりステータコアの内周面に取付けるものと、又は永久磁石の一種であるプラスチック磁石をステータコアの内周面に円弧状に射出成形して取付けたもののいずれかが用いられる。いずれの場合でも、両ステータ磁石はステータコアの円形をなす内周面に取付けられていて、ステータコアの円形内周面の一部が、両ステータ磁石の磁石端部間に露出されている。
【０００４】
ところで、厚み方向に着磁されたステータ磁石では、その磁石端部においてＮ極からＳ極に磁束が漏れる。この漏れ磁束は、ステータの内側に配置されるロータの回転トルクを減少させる因子の一つであるので、極力少なくすることが好ましい。
【０００５】
しかし、既述のようにステータコアの内周面が円形をなす従来のステータの構成では、ステータコアの内周面のうちで隣接したステータ磁石の磁石端部間に位置する露出内周面部分は、ステータ磁石の裏面をそのまま延長した線上に位置しており、この露出内周面部分と磁石端部の表面との間の距離が近い。特に、この距離は、ステータ磁石に最大エネルギー積が高い希土類磁石を使用した場合に、このステータ磁石が薄くなるので、より短くなる。
【０００６】
このように磁石端部の表面から至近距離に、そもそも磁束を通し易いステータコアの露出内周面部分が位置している構成では、磁石端部のＮ極面からＳ極面に至る磁束が前記露出内周面部分を極めて容易に経由する。そのため、磁石端部において磁束が漏れ易く、それに伴ってロータを回転させるトルクが小さくなる。
【０００７】
又、プラスチック磁石からなるステータ磁石をステータコアの内周面に射出成形して取付ける場合に使用される一対の成形型は、ステータコアをその厚み方向から挟んで用いられ、その一方は挿入型部を有している。この挿入型部は、ステータコアの内部に挿入されて、ステータコアの内周面との間のステータ磁石に相当するキャビティ（成形空間）を形成する。このキャビティにプラスチック磁石を射出充填することにより、ステータ磁石がステータコアの内周面に成形される。そして、前記キャビティを作るために、挿入型部はステータコアの内周面に接触されるようになっている。
【０００８】
そのため、挿入型部がステータコアの内周面との接触により次第に摩耗することは避けられず、成形型の寿命が短い。更に、前記摩耗の進行に従い、その摩耗分に応じた極めて薄いバリ状の張り出し部がステータ磁石の端面から突出して成形される。この張り出し部は剥れ易く、それをトリガーとしてステータ磁石がステータコアの内周面から剥れる恐れが考えられるので、こうしたことがないようにすることが望まれている。
【０００９】
【発明が解決しようとする課題】
本発明が解決しようとする課題は、ステータ磁石の磁石端部での磁束の漏れを抑制できるステータを得ることにあるとともに、このステータを用いてロータの回転トルクを増加できるモータを得ることにあり、更に、このモータを用いて送風能力を増加できる電動送風機を得ることにある。
【００１０】
【課題を解決するための手段】
前記課題を解決するために、請求項１の発明のステータは、円弧状をなすとともに厚み方向に着磁されるプラスチック磁石からなるステータ磁石を、ステータコアに開けられたロータ通孔の内周面に射出成形して複数取付けたステ−タにおいて、前記ステ−タコアの内周面に、前記ステータ磁石の円弧に沿う方向に位置した磁石端部の前記ロータ通孔に臨んだ表面から遠ざかるとともに、この表面に対して反対側で前記ロータ通孔に臨まない前記磁石端部の裏面より前記ステ−タコアの外周面に寄った底面を有する凹みを、前記ステ−タコアの内周面の周方向に隣接したステータ磁石の磁石端部にわたって設け、この凹みに前記磁石端部の端面を臨ませるとともに、前記凹みの内面を前記ステータ磁石と一体に射出成形された薄膜状凹みカバーで覆ったことを特徴としている。
【００１１】
この発明において、ステータコアは珪素鋼鈑等の磁性鋼鈑で代表される磁性金属で作ることができ、又、ステータ磁石は、永久磁石の一種であるプラスチック磁石等で作ることができ、特にステータ磁石を希土類磁石とすることは、回転トルクの増加若しくは小形化を一層促進できる点で好ましい。
【００１２】
この請求項１の発明においては、磁束を通し易いステータコアの内周面に、磁石端部の表面から遠ざかる底面を有した凹みを設けて、この凹みの内面を覆ってステータコアの内部に露出する凹みカバーと磁石端部の表面との間の距離を長くしている。そのため、前記凹み内の空気による磁気抵抗（これはステータコアでの磁気抵抗より大きい。）により、磁石端部のＮ極面からＳ極面に至る磁束を少なくできる。更に、ステータ磁石と一体に射出成形された凹みカバーで凹みの内面を覆ったので、ステータ磁石及び凹みカバーの成形型がステータコアの内周面と接して摩耗することがないとともに、凹みカバーは薄膜状であってもその両端が隣接したステータ磁石に一体に連続しているので、剥れる恐れがない。しかも、薄膜状の凹みカバーは、極めて容易に磁気飽和するので、隣接するステータ磁石間での磁束の漏れは実質的に無視できる。
【００１６】
請求項２の発明は、請求項１に記載のステータ磁石で覆われる前記ステ−タコアの内周面に係止溝を設け、この溝に、前記ステータ磁石の前記ロータ通孔に臨んだ表面に対して反対側で前記ロータ通孔に臨まない前記ステータ磁石の裏面に一体に突設した係止突起を係合させたことを特徴としている。
【００１７】
この発明おいては、係止溝と係止突起との係合により、ステータコアの内周面に取付けられたステータ磁極が、剥れてステータコアの内周面に沿って移動する恐れを防止できる。
【００１８】
前記課題を解決するために、請求項３の発明のモータは、請求項１又は２項に記載のステ−タと、このステ−タが有したステータコアのロータ通孔に配置されたロータとを具備したことを特徴としている。
【００１９】
この発明においては、請求項１の発明で既に説明したように、ステータ磁石の各磁石端部での磁束の漏れを抑制して、回転トルクを増やす上で有効なステータを備えるから、ロータの回転トルクを増加できる。
【００２０】
前記課題を解決するために、請求項４の発明の電動送風機は、ロータ軸を有するロータ、前記ロータ軸を支持する軸受、前記ロータを囲んで設けられた請求項１又は２に記載のステ−タ、前記ロータ軸に固定された整流子、及びこの整流子に押付けられるブラシ付きブラシ装置を備えるモータと、前記ロータ軸に連結されたファン及びこのファンを覆うファンカバーを備える送風部と、を具備したことを特徴としている。
【００２１】
この発明においては、送風部のファンを回転させるモータが、請求項１の発明で既に説明したように、ステータ磁石の各磁石端部での磁束の漏れを抑制して、回転トルクを増やす上で有効なステータを備えているから、ロータの回転トルクの増加に対応して、前記ファンの回転を向上できる。
【００２２】
【発明の実施の形態】
以下、図１及び図２を参照して本発明の参考例を説明する。
【００２３】
図１に示す電動送風機１は、電動機部２と、送風部３とを具備して構成されている。この電動送風機１は、例えば図示しないバッテリーを電源として駆動される電気掃除機の真空吸引源として使用される。
【００２４】
電動機部２は、前記バッテリーの電力で直流駆動される２極のＤＣモータとして構成され、一対のフレーム１１、１２、ロータ１３、一対の軸受１４、１５、ステータ１６、整流子１７、及び一対のブラシ装置１８を備えている。
【００２５】
硬質合成樹脂製のフレーム１１、１２は、ステータ１６をその厚み方向両側から挟んで配置されてステータ１６に連結されている。つまり、図１（Ｂ）に代表して１本のみ示す４本のねじ２１を、フレーム１１から挿入してステータ１６の四隅に開けられた図２（Ａ）に示すねじ通孔２２（参照）に通すとともに、フレーム１２の連結孔２３にねじ込むことにより、前記連結がなされている。
【００２６】
ロータ１３は、ロータ軸１３ａにアーマチャコア１３ｂおよびアーマチャコイル１３ｃを夫々装着して形成されている。ロータ軸１３ａの両端部は夫々フレーム１１、１２の中央部に取付けられた転がり型の軸受１４、１５で支持されており、このロータ軸１３ａの一端部は軸受１４を貫通している。ロータ軸１３ａにはそのアーマチャコア１３ｂと軸受１５との間に位置して整流子１７が装着されている。整流子１７が有する各整流子片には夫々アーマチャコイル１３ｃの端末部が接続されている。
【００２７】
図１（Ｂ）及び図２に示すようにステータ１６は、磁路をなすステータコア２５と、フィールド（界磁）を作る複数例えば一対のステータ磁石２６、２７とからなる。このステータ１６は図１（Ｂ）に示すようにロータ１３のアーマチャコア１３ｂを囲んで配置される。
【００２８】
ステータコア２５は、同一形状に打ち抜かれた電磁鋼板を積層して形成されている。このコア２５は、図２（Ａ）に示すように平面視四角形状の外形を有し、その中央部にロータ１３が通るロータ通孔２８が開けられている。
【００２９】
ステータ磁石２６、２７は好適な例として希土類のプラスチック磁石を円弧状に射出成形してなり、これらはロータ通孔２８の内周面に相対向して前記射出成形により取付けられている。これらステータ磁石２６、２７は厚み方向に以下例示するように着磁されている。つまり、図２（Ａ）において左側のステータ磁石２６は、その表面（ロータ通孔２８の内側に臨んだ面）がＮ極、裏面がＳ極となるように着磁され、右側のステータ磁石２７は、その表面がＳ極、裏面がＮ極となるように着磁されている。
【００３０】
ロータ通孔２８の内周面に接着あるいは射出成形により装着されたステータ磁石２６、２７の裏面には１以上の係止突起２９が一体に突設され、これらは前記内周面に開放するようにステータコア２５に設けられた係止溝３０に係合されている。この係合により、ステータ磁石２６、２７の剥れ止めをして、これら磁石２６、２７が所定位置に位置決めして前記内周面の周方向に沿って不用意に動くことがないようにしている。なお、本参考例ではステータ磁石２６、２７を射出成形で作るので、この成形と同時に係止溝３０への充填が行われ、この充填された磁石材料が固まることにより、前記係合がなされる。
【００３１】
ステータコア２５の内周面には、ステータ磁石２６の円弧に沿う方向の両端部、つまり、磁石端部２６ａ及び２６ｂ、ステータ磁石２７の円弧に沿う方向の両端部、つまり、磁石端部２７ａ及び２７ｂでの磁束の漏れを抑制するための一対の凹み３１が、例えば前記内周面の周方向に隣接したステータ磁石２６、２７の磁石端部２６ａ、２７ａ、同磁石端部２６ｂ、２７ｂにわたって夫々設けられている。
【００３２】
一方の凹み３１は、磁石端部２６ａ、２７ａの表面Ｃから遠ざかる平坦な底面３１ａを有し、この底面３１ａは磁石端部２６ａ、２７ａの裏面Ｄよりステータコア２５の外周面２５ａに寄せられている。底面３１ａと外周面２５ａとの間は、所定の性能を発揮させるのに必要充分な磁束の流れを確保するために５mm以上の幅Ｗを有している。それにより、図２（Ａ）中右側に配置されたステータ磁石２７の磁石端部２７ａのＮ極を呈する裏面（Ｎ極面）Ｄと、左側に配置されたステータ磁石２６の磁石端部２６ａのＳ極を呈する裏面（Ｓ極面）Ｄとにわたる必要充分な磁束の流れを確保する磁路断面積が確保されている。
【００３３】
前記一方の凹み３１の一側面３１ｂは磁石端部２６ａの端面Ｅと面一的に連続され、同様に凹み３１の他側面３１ｃは磁石端部２７ａの端面Ｅと面一的に連続されている。磁石端部２６ａ及び２７ａの端面Ｅは凹み３１内に夫々臨んでいる。
【００３４】
同様に、他方の凹み３１も、磁石端部２６ｂ、２７ｂの表面Ｃから遠ざかる平坦な底面３１ａを有し、この底面３１ａも磁石端部２６ｂ、２７ｂの裏面Ｄよりステータコア２５の外周面２５ｂに寄せられている。この底面３１ａと外周面２５ｂとの間は、所定の性能を発揮させるのに必要充分な磁束の流れを確保するために５mm以上の幅Ｗを有している。それにより、図２（Ａ）中左側に配置されたステータ磁石２６の磁石端部２６ｂのＳ極を呈する裏面（Ｓ極面）Ｄと、右側に配置されたステータ磁石２７の磁石端部２７ｂのＮ極を呈する裏面（Ｎ極面）Ｄとにわたる必要充分な磁束の流れを確保する磁路断面積が確保されている。
【００３５】
前記他方の凹み３１の一側面３１ｂは磁石端部２６ｂの端面Ｅと面一的に連続され、同様に他方の凹み３１の他側面３１ｃは磁石端部２７ｂの端面Ｅと面一的に連続されている。磁石端部２６ｂ及び２７ｂの端面Ｅは他方の凹み３１内に夫々臨んでいる。
【００３６】
以上の構成の凹み３１は、その一部が磁石端部２６ａ、２６ｂ、２７ａ、２７ｂの裏面に回り込まないように形成されているので、ステータ磁石２６、２７の有効磁束が減ることがない点で優れている。これに対して、図１（Ａ）中２点鎖線で示すように凹み３１を広げて磁石端部２６ａ、２６ｂ、２７ａ、２７ｂの裏面に回り込ませて形成する場合には、磁石端部２６ａ、２６ｂ、２７ａ、２７ｂの凹み３１に臨んだ裏面Ｄとステータコア２５との間を磁束が流れづらくなるので、その分周方向に隣接したステータ磁石２６、２７間にわたる磁束量が減って、ステータ磁石２６、２７のすべての磁束を有効に使用できなくなる。
【００３７】
しかも、既述のように隣接した磁石端部２６ａ、２７ａにわたる一方の凹み３１、及び隣接した磁石端部２６ｂ、２７ｂにわたる他方の凹み３１の底面３１ａは、平坦であって、凹み３１を２分するような突部を有していないから、凹み３１の構成が簡単である。そのため、電磁鋼鈑の打ち抜き型の構成が簡単で、その型持ちを長くできる点で好ましい。又、モータの小型化等により凹み３１の幅が狭くなる場合に、前記突部があると、それが磁石端部の漏れ磁束を導き易くなり、漏れ磁束量を増やすことにつながるが、底面３１ａが平坦な前記凹み３１の構成では以上の不具合がない点でも好ましい。
【００３８】
前記一対のブラシ装置１８は、そのカーボンブラシ１８ａを整流子１７の外周面に押付け保持して、図１に示すようにフレーム１２に取付けられている。これらブラシ装置１８が有した端子１８ｂは前記バッテリーに電気的に接続される。
【００３９】
又、図１に示すようにフレーム１１は送風整流体を兼ねて形成されている。つまり、図１（Ａ）に示すようにフレーム１１は、円形をなし、その外周部には、複数の風入口１１ａが周方向に等間隔に設けられているとともに、図１（Ｂ）に示すようにフランジ１１ｂが外側に張出して設けられ、又、中央部にロータ軸１３ａが貫通する軸通孔３５を有している。更に、図１（Ａ）に示すようにフレーム１１の裏面には、夫々円弧状をなす複数の整流ブレード３６が設けられていて、隣接する整流ブレード３６相互間は整流風路３７として形成されている。各整流風路３７の一端には風入口１１ａが夫々開口している。したがって、風入口１１ａから導入された風は、整流風路３７を通る間にディフューザ作用を受けて静圧化されながら、ステータ１６に向けて吹き付けられるように導かれる。
【００４０】
前記送風部３は、図１（Ｂ）に示すように、金属製の遠心型ファン４１及びこれを覆う金属製ファンカバー４２を備えて構成されている。ファン４１はロータ軸１３ａの軸受１４を貫通した軸端部に、この軸端部に螺合して締付けられたナット４３により連結されている。ファンカバー４２は、その円筒形の周壁部をフレーム１１の外周面に嵌合し、かつ、フランジ１１ｂに当たって嵌め込み深さを規制されて取付けられている。このファンカバー４２はファン４１の吸込み口に入り込む開口４２ａを有している。
【００４１】
前記構成を備えた電動送風機１が備える電動機部２のステータ１６は、そのステータコア２５の内周面に、ステータ磁石２６、２７の磁石端部２６ａ、２６ｂ、２７ａ、２７ｂの端面Ｅが臨む凹み３１を、ステータコア２５の外周面２５ａ、２５ｂとの間の有効磁路を損なわないように設けている。この凹み３１によって、磁束を通し易いステータコア２５のロータ通孔２８内に露出する露出内周面部分、つまり、凹み３１の底面３１ａとこれに最も近い磁石端部２６ａ、２６ｂ、２７ａ、２７ｂの表面Ｃとの間の距離を長くできる。
【００４２】
そのため、ステータコア２５での磁気抵抗より大きい凹み３１内の空気による磁気抵抗により、各磁石端部２６ａ、２６ｂ、２７ａ、２７ｂのＮ極面からＳ極面に至る磁束を少なくできる。言い換えれば、各磁石端部２６ａ、２６ｂ、２７ａ、２７ｂでの磁束の漏れを抑制できる。
【００４３】
したがって、前記構成のステータ１６を備えたことによりロータ１３の回転トルクを増やすことができるとともに、この回転トルクの増加に対応して、送風部３のファン４１の回転が向上される。そのため、電動送風機１の送風能力を増加できる。
【００４４】
図３は本発明の一実施形態を示している。この実施形態は基本的には参考例と同様な構成であるので、同様構成部分には参考例と同じ符号を付して、その構成および作用の説明を省略し、以下異なる部分について説明する。
【００４５】
この一実施形態では、プラスチック磁石を射出成形してなるステータ磁石２６、２７の端面Ｅ同士を、凹みカバー３２で接続し、このカバー３２で凹み３１の内面を覆っている。凹みカバー３２は、ステータ磁石２６、２７と一体に射出成形されたものであって、これら磁石２６、２７よりも遥かに薄肉、具体的にはステータ磁石２６、２７の厚み1.45mmに対して凹みカバー３２の厚みが（0.3±0.1）mmであるから、このカバー３２は磁気飽和し易い。なお、以上の点以外の構成は、図３に示されない構成を含めて参考例の電動送風機と同じである。
【００４６】
この一実施形態においても、ステータ１６がそのステータコア２５の内周面に凹み３１を有していることには変わりがないので、参考例と同じく、ステータ磁石２６、２７の各磁石端部２６ａ、２６ｂ、２７ａ、２７ｂのＮ極面からＳ極面に至る磁束に対する空気による磁気抵抗が増えて、各磁石端部２６ａ、２６ｂ、２７ａ、２７ｂでの磁束の漏れを抑制できる。なお、この場合において、凹み31の内面を覆った凹みカバー３２は薄膜状で極めて容易に磁気飽和するので、このカバー３２が隣接するステータ磁石２６、２７を一体に接続しているにも拘わらず、両磁石２６、２７間での磁束の漏れは実質的に無視できる。したがって、回転トルクを増やすことができる。
【００４７】
更に、凹みカバー３２で凹み３１の内面を覆ったことにより、ステータ磁石２６、２７及び凹みカバー３２をステータコア２５の内側に一体に射出成形する成形型（図示しない）は、凹みカバー３２の厚みに対応して凹み３１の内面に接することがない。そのため、成形型がステータコア２５の内面と擦れ合って摩耗することがなくなるので、成形型の型持ちをよく（寿命を長く）できる。
【００４８】
又、前記のように成形型の摩耗がないので、それに基づくバリ状の張り出し部が形成されることはない。しかも、凹みカバー３２が薄膜状であるにも拘わらず、その両端はステータ磁石２６、２７に一体に接続されているので、凹みカバー３２が剥れることはない。したがって、電動送風機が備える電動機部のステータ１６は、そのステータ磁石２６、２７がステータコア２５の内周面から剥れる恐れがなく、耐久性に優れる。
【００４９】
【発明の効果】
本発明は、以上説明したような形態で実施され、以下に記載されるような効果を奏する。
【００５２】
請求項１に係る発明によれば、ステータ磁石の磁石端部のＮ極面からＳ極面に至る磁束に対する磁気抵抗を増やすための凹みをステータコアの内周面に設けて、磁石端部での磁束の漏れを抑制するとともに、隣接するステータ磁石間での磁束の漏れは薄膜状凹みカバーでの磁気飽和により実質的に無視できるので、回転トルクを増やす上で有効なステータを提供できる。更に、ステータ磁石及び凹みカバーを一体に射出成形する成形型がステータコアの内周面に接することがないので、成形型の寿命が長くなるだけではなく、薄膜状凹みカバー及びステータ磁石が剥れる恐れがなくなり、耐久性に優れるステータを提供できる。
【００５３】
請求項２に係る発明によれば、ステータコアの内周面所定位置にステータ磁極を確実に位置決め可能なステータを提供できる。
【００５４】
請求項３に係る発明によれば、ステータ磁石の磁石端部での磁束の漏れを抑制して、回転トルクを増やす上で有効な請求項１又は２に記載のステータを備えるから、ロータの回転トルクを増加できるモータを提供できる。
【００５５】
請求項４に係る発明によれば、ステータ磁石の磁石端部での磁束の漏れを抑制して、回転トルクを増やす上で有効な請求項１又は２に記載のステータを有したモータを備えているから、このモータが有したロータの回転トルクの増加に対応して、送風部のファンの回転が向上される結果、送風能力が増加された電動送風機を提供できる。
【図面の簡単な説明】
【図１】  （Ａ）は本発明の参考例に係るモータを備える電動送風機の下面図。
（Ｂ）は図１（Ａ）のＺ−Ｚ線に沿って示す電動送風機の断面図。
【図２】（Ａ）は図１のモータが備えるステータを示す平面図。
（Ｂ）は図２（Ａ）のＹ−Ｙ線に沿って示すステータの断面図。
【図３】  （Ａ）本発明の一実施形態に係るモータが備えるステ−タを示す平面図。
（Ｂ）は図３（Ａ）のＸ部を示す拡大図。
【符号の説明】
１…電動送風機
２…電動機部（モータ）
３…送風部
１３…ロータ
１３ａ…ロータ軸
１４、１５…軸受
１６…ステータ
１７…整流子
１８…ブラシ装置
１８ａ…カーボンブラシ
２５…ステータコア
２５ａ、２５ｂ…ステータコアの外周面
２６、２７…ステータ磁石
２６ａ、２７ａ、２７ａ、２７ｂ…磁石端部
Ｃ…磁石端部の表面
Ｄ…磁石端部の裏面
Ｅ…磁石端部の端面
２９…係止突起
３０…係止溝
３１…凹み
３１ａ…凹みの底面
３１ｂ、３１ｃ…凹みの側面
３２…凹みカバー
４１…ファン
４２…ファンカバー
【図１】
0003877554.tif 000002
【図２】
0003877554.tif 000003
【図３】
0003877554.tif 000004